(57)【要約】【課題】  容易に開閉を行なうことができ、さらに、人などの大きな物が誤って衝突したときに、開いてしまうことを防止した前面パネルを備えた電気機器を提供する。【解決手段】  電気機器は、機器本体と、開閉可能な前面パネル２とを備え、前面パネル２は、突起部５１と、突起部５１が形成されている領域に対向するように表側に形成された押圧部４２とを含む。機器本体は、突起部５１を挿入する方向に移動させることにより、突起部５１との係合および解除を行なう保持部５３と、保持部５３から離れて配置され、前面パネル２と接触するように形成された接触部４３とを含む。突起部５１と保持部５３とが係合する周りの領域は、機器本体と前面パネル２とが離れるように形成され、前面パネル２は、前面パネル２が閉じた状態で押圧部４２を押すことにより湾曲するように形成されている。【選択図】        図１１
2006242505.tif 000002
【特許請求の範囲】
【請求項１】
機器本体と、
前記機器本体の外側に配置された開閉可能な開閉パネルと
を備え、
前記開閉パネルは、裏側に配置された突起部と、
前記突起部が形成されている領域に対向するように表側に形成された押圧部と
を含み、
前記機器本体は、前記突起部を挿入する方向に移動させることにより、前記突起部との係合および解除を行なうことができるように形成された保持部と、
前記保持部から離れて配置され、前記開閉パネルが閉じた状態で前記開閉パネルと接触するように形成された接触部と
を含み、
前記突起部と前記保持部とが係合する周りの領域は、前記機器本体と前記開閉パネルとが離れるように形成され、
前記開閉パネルは、前記開閉パネルが閉じた状態で前記押圧部を押すことにより湾曲するように形成された、電気機器。
【請求項２】
前記突起部は、前記開閉パネルの一方の側に配置され、
前記開閉パネルは、裏側の前記一方の側と反対側に配置された係止爪を含み、
前記機器本体は、前記係止爪を引っ掛かるように形成された引掛け部を含む、請求項１に記載の電気機器。
【請求項３】
前記係止爪は、平面視したときに下部の幅方向の両端部に形成され、
前記突起部は、平面視したときに上部の幅方向の両端部に形成された、請求項２に記載の電気機器。
【請求項４】
前記開閉パネルは、ＡＢＳ樹脂、ＰＰ樹脂、またはＰＳ樹脂を主材料として形成され、厚さが２ｍｍ以上３ｍｍ以下になるように形成された、請求項１に記載の電気機器。
【発明の詳細な説明】
【技術分野】
【０００１】
本発明は、電気機器に関する。特に、開閉可能に形成された扉を有する電気機器に関する。
【背景技術】
【０００２】
電気機器は、一般的に外側の筐体の内部に機器が配置されている。電気機器には、外側の筐体に開閉可能な扉を有するものがある。たとえば、フィルタを備える電気機器には、フィルタを交換するために前面や側面に開閉可能な扉を有する機器がある。
【０００３】
特開平１１−３５１６０６号公報においては、開閉可能な扉に関して、扉の一の側縁部に２つの突起部が形成され、突起部がラッチに固定されることが開示されている。このラッチは、扉の突起部に相当する部分を押すと突起部がラッチに引っ掛かり、もう一度押すと、ラッチの固定が外れることが開示されている。さらに、扉の他の側縁部に爪を形成し、この爪を引掛ける突起部が開口部に形成され、爪が突起部に引掛かることによって固定されることが開示されている。このファンユニットによれば、開口部と扉との隙間を最小の状態にすることができ、空気漏れによる性能の低下を防止できると開示されている。
【特許文献１】特開平１１−３５１６０６号公報
【発明の開示】
【発明が解決しようとする課題】
【０００４】
開閉扉の保持機構としては、たとえば、フック状の爪をレバーなどにより回動させて、突起物に引掛けるラッチ式の機構がある。このようなラッチ式の保持機構においては、表面に配置されたレバーを回したり、側面に配置されフック状の爪を回動させるためのボタンを押したりする必要があり、より容易に開閉を行なえる開閉扉が望まれる。
【０００５】
開閉扉を保持する機構の中には、繰返し押すことにより、突起部を保持したり解除したりできる機構がある。すなわち、一度押すことにより突起部が保持され、再度押すことにより突起部の保持が解除される機能を有する固定機構がある。
【０００６】
この固定機構においては、一方の側から押すという１つの動作で前面パネルを固定したり解除したりすることができるため利便性が高い。しかしながら、押すという単純な動作で作動してしまうために、誤って押す動作に等しい動作を行なったときにも前面パネルが開いてしまうという問題がある。
【０００７】
たとえば、床面において使用される電気機器には、前面パネルが開閉可能に形成された機器がある。このような電気機器においては、前面パネルを誤って押してしまって前面パネルが開いてしまうことがあるという問題があった。たとえば、子供が誤って前面パネルに衝突したときに、不意に前面パネルが開いてしまうという問題があった。
【０００８】
本発明は、容易に開閉を行なうことができ、さらに、人などの大きな物が誤って衝突したときに、開いてしまうことを防止した開閉パネルを備えた電気機器を提供することを目的とする。
【課題を解決するための手段】
【０００９】
本発明に基づく電気機器は、機器本体と、上記機器本体の外側に配置された開閉可能な開閉パネルとを備え、上記開閉パネルは、裏側に配置された突起部と、上記突起部が形成されている領域に対向するように表側に形成された押圧部とを含む。上記機器本体は、上記突起部を挿入する方向に移動させることにより、上記突起部との係合および解除を行なうことができるように形成された保持部と、上記保持部から離れて配置され、上記開閉パネルが閉じた状態で上記開閉パネルと接触するように形成された接触部とを含む。上記突起部と上記保持部とが係合する周りの領域は、上記機器本体と上記開閉パネルとが離れるように形成され、上記開閉パネルは、上記開閉パネルが閉じた状態で上記押圧部を押すことにより湾曲するように形成されている。この構成を採用することにより、容易に開閉を行なうことができ、さらに、人などの大きな物が誤って衝突したときに、開いてしまうことを防止した開閉パネルを備えた電気機器を提供することができる。
【００１０】
上記発明において好ましくは、上記突起部は、上記開閉パネルの一方の側に配置され、上記開閉パネルは、裏側の上記一方の側と反対側に配置された係止爪を含み、上記機器本体は、上記係止爪を引っ掛かるように形成された引掛け部を含む。この構成を採用することにより、上記開閉パネルを上記機器本体から取外すことができる。また、上記一方の側の上記押圧部を押圧することで、容易に上記開閉パネルを開閉することができる。
【００１１】
上記発明において好ましくは、上記係止爪は、平面視したときに下部の幅方向の両端部に形成され、上記突起部は、平面視したときに上部の幅方向の両端部に形成されている。この構成を採用することにより、床面に配置する機器に対して、上記開閉パネルの開閉動作が容易になる。
【００１２】
上記発明において好ましくは、上記開閉パネルは、ＡＢＳ樹脂、ＰＰ樹脂、またはＰＳ樹脂を主材料として形成され、厚さが２ｍｍ以上３ｍｍ以下になるように形成されている。この構成を採用することにより、汎用的な樹脂を用いて上記開閉パネルを形成することができる。
【発明の効果】
【００１３】
本発明によれば、容易に開閉を行なうことができ、さらに、人などの大きな物が誤って衝突したときに開いてしまうことを防止した開閉パネルを備えた電気機器を提供することができる。
【発明を実施するための最良の形態】
【００１４】
図１から図１１を参照して、本発明に基づく実施の形態における電気機器について説明する。本実施の形態における電気機器は、除湿機能と局所的な冷房機能とを有する空気調和機である。また、持ち運んだり押したりすることにより移動可能に形成されている。
【００１５】
図１に、本実施の形態における空気調和機の概略斜視図を示す。図１は、空気調和機を前側から見たときの斜視図である。矢印６１は、空気調和機の前後方向（奥行き方向）を示し、矢印６２は、空気調和機の高さ方向を示す。空気調和機は、外カバー１を備える。外カバー１は、前面パネル２、上面パネル３、側面パネル４および底面パネル８を含む。
【００１６】
側面パネル４の上部には、持ち運びを行なうときに手を引掛けるための取っ手部が形成されている。すなわち、本実施の形態における空気調和機は、取っ手部に手を引掛けて一人で持ち運びができるように形成されている。また、底面パネル８の下側には、人が空気調和機を押して移動できるように車輪が配置されている。上面パネル３には、操作部４１が配置されている。
【００１７】
外カバー１の前側の上部には、除湿された空気または冷却された空気を吹出すための吹出口３１が形成されている。吹出口３１には、２個のルーバ６ａ，６ｂが配置されている。
【００１８】
本実施の形態においては、前面パネル２が開閉パネルとして形成されている。前面パネル２は、空気調和機の前側のほぼ全体の部分を覆うように形成されている。前面パネル２は、前側に向かって開閉が可能なように形成されている。前面パネル２の上部において、幅方向の両端部には、押圧部４２が形成されている。押圧部４２には、押圧部であることを示すためのマークが描写されている。
【００１９】
図２に、図１におけるＩＩ−ＩＩ線に関する矢視断面図を示す。矢印６１に示す方向は、空気調和機の前後方向である。矢印６２に示す方向は、空気調和機の高さ方向である。
【００２０】
外カバー１は、空気調和機の背面に配置された背面パネル５を含む。背面パネル５は、空気調和機の後側の領域のほぼ全体を覆うように配置されている。背面パネル５は、蒸発器吸気部３３と凝縮器吸気部３２とを有する。凝縮器吸気部３２と蒸発器吸気部３３との間には、排気口としての排気部３４が形成されている。
【００２１】
本実施の形態における空気調和機は、後側に配置された凝縮器１１および蒸発器１２を備える。蒸発器１２と凝縮器１１とは離れて、高さ方向に配列して配置されている。
【００２２】
凝縮器１１の前側には、凝縮器ファン１３が配置されている。凝縮器ファン１３の内部には、凝縮器ファンモータ１５が配置されている。凝縮器ファン１３は、回転することにより矢印６３に示す方向のうち、上側に向かって空気を送るように形成されている。
【００２３】
蒸発器１２の前側には、蒸発器ファン１４が配置されている。蒸発器ファン１４は、蒸発器ファン１４の外側に配置された蒸発器ファンモータに接続されている。蒸発器ファン１４は、回転軸４６を中心に回転するように形成されている。蒸発器ファン１４は、矢印６６に示すように、蒸発器１２からの空気を前側に向けて送るように形成されている。
【００２４】
蒸発器ファン１４の下側には、蒸発器ファン１４を囲むように第１のケーシング２５が配置されている。第１のケーシング２５は、矢印６６に示すように、蒸発器ファン１４からの空気を空気調和機の吹出口３１に導くことができるように形成されている。第１のケーシング２５の前側の端部には開口部３５が形成されている。
【００２５】
第１のケーシング２５の下側には、間隔を空けて第２のケーシング２６が配置されている。第２のケーシング２６は、第１のケーシング２５に沿う部分と下側に向かって延びる部分とを有する。
【００２６】
凝縮器１１の前側には、矢印６３に示すように、高さ方向に空気が流れるように縦流路が形成されている。また、矢印６４に示すように、凝縮器１１と蒸発器１２との間の空間の一部および第１のケーシング２５と第２のケーシング２６との間の空間の一部を含むように前後方向に延びる中間流路が形成されている。中間流路は、上記の縦流路と連通するように形成されている。
【００２７】
中間流路と縦流路とが交わる領域には、ダンパ７が配置されている。本実施の形態におけるダンパ７は、１／４円状の断面形状を有する。ダンパ７は、１／４円の中心を回動軸として矢印６９に示すように回動可能に形成されている。
【００２８】
第１のケーシング２５の下側において、開口部３５の近傍には、空気中の除菌を行なうためのイオンを発生するイオン発生器２２が配置されている。本実施の形態においては、空気調和機の幅方向の両端に２つのイオン発生器２２が配置されている。
【００２９】
蒸発器１２の下側には、蒸発器１２に結露した結露水（ドレン水）を集めるための結露皿１９が配置されている。第２のケーシング２６の前側には、除湿を行なったときのドレン水を溜めるためのドレンタンク１８が配置されている。ドレンタンク１８は、外カバー１の内部において前側に配置されている。
【００３０】
本実施の形態における空気調和機を局所的な冷房機能として用いる場合には、図２に示すように、空気を遮断する面が前側に位置するようにダンパ７を配置する。
【００３１】
凝縮器ファンモータ１５が駆動することにより、凝縮器ファン１３が回転して、外側から凝縮器吸気部３２を通って凝縮器１１に空気が進入する。凝縮器１１を通った空気は、熱交換が行なわれて吸入する空気よりも高温になる。
【００３２】
凝縮器１１を通った空気は、矢印６５に示すように、縦流路を上側に向かって流れ、ダンパ７の向きに沿って空気調和機の後側に向きを変えて、中間流路を流れる。この後に、排気部３４から排気される。
【００３３】
図示しない圧縮機が駆動することにより、冷媒が圧縮機によって圧縮され、凝縮器１１に送られる。凝縮器１１において、凝縮器吸気部３２から吸気された空気によって熱交換が行なわれて冷媒が冷却される。凝縮器１１においては、冷媒が冷却されることにより凝縮する。凝縮器１１を出た冷媒は蒸発器１２に向かう。蒸発器１２においては、冷媒の一部が蒸発する。冷媒が蒸発するときの蒸発潜熱によって蒸発器１２は低温になる。蒸発器１２を通った冷媒は、再び圧縮機に戻される。
【００３４】
蒸発器ファンモータが駆動することにより、蒸発器ファン１４が回転して、矢印６６に示すように蒸発器吸気部３３を通って進入した空気が吹出口３１に向かって吹出される。蒸発器吸気部３３を通って吸気された空気は、蒸発器１２を通ることにより冷却され、吸入する空気よりも低温になる。また、空気が結露して除湿される。結露水は、結露皿１９に滴下した後に、ドレンタンク１８に溜められる。低温で除湿された空気は、前側の吹出口３１から吹出される。吹出口３１から吹出される際には、ルーバ６ａ，６ｂの向きに沿って低温の空気が吹出される。
【００３５】
このように、局所的に冷風を吹出すことができ、局所的な冷房機能として用いることができる。
【００３６】
除湿機能として使用する場合には、局所的な冷房機能として使用する場合と比較して、ダンパ７の位置が異なる。ダンパ７は、矢印６９に示す方向のうち後側に向かって回動して、空気の流れを遮断する部分が後側に配置される。ダンパ７は、縦流路を通った空気がダンパ７によって中間流路の前側に向かって流れるように配置される。
【００３７】
凝縮器ファン１３が回転することにより、高温の空気は、縦流路を上側に向かって流れ、ダンパ７の形状に沿って前側に向きを変える。空気は、中間流路のうち第１のケーシング２５と第２のケーシング２６とに挟まれる空間を空気調和機の前側に向かって流れる。この後に、開口部３５を通って、凝縮器ファン１３からの空気と合流する。凝縮器ファン１３からの空気は除湿されている。この後に、吹出口３１から吹出される。このように吹出口３１から乾燥した空気を吹出すことができる。
【００３８】
中間流路において、イオン発生器２２を駆動することにより、空気を電離してイオンを発生することができる。生じたイオンは、中間流路を通る空気に含まれた状態で、吹出口３１から吹出される。イオン発生器２２を駆動することにより、吹出す空気に除菌機能を備えることができる。
【００３９】
図３に、前面パネルを開いたときの概略斜視図を示す。本実施の形態においては、前面パネル２は、下部を支軸として回動するように開閉可能に形成されている。前面パネル２は、矢印７１に示すように、上部が移動するように形成されている。前面パネル２は、所定の角度まで開いたときに、機器本体から取外すことができるように形成されている。機器本体において、押圧部４２と対向する部分には、保持部５３が形成されている。
【００４０】
図４に、機器本体から前面パネルを取外したときの正面図を示す。機器本体は、枠体９および枠体１０を含む。枠体９，１０は、それぞれが板状に形成されている。枠体９は、ドレンタンク１８の前側に配置されている。
【００４１】
機器本体の下部において、幅方向の両端には引掛け部５４が形成されている。本実施の形態における引掛け部５４は、平面形状が長方形となるように形成され、枠体９を貫通する穴である。機器本体の上部において、幅方向の両端には保持部５３が形成されている。保持部５３は、枠体１０に形成されている。それぞれの保持部５３の上側には、前面パネルを閉じたときに、前面パネルに接触するように接触部４３が形成されている。
【００４２】
図５に、保持部と接触部との部分の拡大斜視図を示す。接触部４３は、枠体１０の表面よりも前側に突出するように形成されている。接触部４３は、保持部５３よりも前側に張り出すように形成されている。接触部４３は、保持部５３から離れて配置されている。接触部４３は、前面パネルを閉じた状態で前面パネルと接触するように形成されている。
【００４３】
保持部５３は、２つの爪を含み、後述する前面パネルに形成された突起部を挟むことができるように形成されている。保持部５３は、前面パネルに形成された突起部が挿入されることにより、突起部を挟持した状態で固定できるように形成されている。さらに、保持部５３は、突起部を挟持した状態で、再度突起部を挿入方向に押すことにより、突起部を解除できるように形成されている。
【００４４】
保持部５３は、凹んだ部分に配置されている。保持部５３の周りの領域は、前面パネルが閉じられたときにおいても、前面パネルと機器本体とが離れるように形成されている。
【００４５】
図６に、開閉パネルとしての前面パネルの背面図を示す。図６は、前面パネルを裏側から見たときの図である。
【００４６】
前面パネル２は、平面形状がほぼ長方形になるように形成されている。前面パネル２は、上側の端部の両端に外側に向かって飛び出すように形成された延在部４４を含む。延在部４４は、平面形状が長方形になるように形成されている。延在部４４は、側面から見たときに、接触部の形状に沿って曲がるように形成されている。すなわち、延在部４４は、接触部と面接触するように形成されている。
【００４７】
前面パネル２の上部の幅方向の両端には、突起部５１が形成されている。突起部５１は、押圧部が形成されている領域の裏側に配置されている。前面パネル２の下部の両端には、係止爪５２が形成されている。
【００４８】
図７に、突起部の概略斜視図を示す。突起部５１は、前面パネル２の表面から機器本体に向かって飛び出すように形成されている。突起部５１は、棒状の部分と、棒状の部分の先端に形成され、棒状の部分よりも大きくなるように膨らんだ部分とを含む。突起部５１の先端の膨らんだ部分は、機器本体の保持部の爪が引っ掛かるように形成されている。
【００４９】
図８に、係止爪の概略斜視図を示す。係止爪５２は、前面パネル２の表面から機器本体に向かって飛び出すように形成されている。係止爪５２は、前面パネル２から機器本体に向かって飛び出す部分と、機器本体の下側に向かって延びる部分とを有する。係止爪５２は、機器本体に形成された引掛け部５４に挿入することにより、引っ掛けることができるように形成されている。
【００５０】
本実施の形態における前面パネルは、前面パネルを閉じた状態で、押圧部を押したときに、押した部分を中心に前面パネルが湾曲するように形成されている。すなわち、本実施の形態における前面パネルは、押圧部の周りの領域において、人の指の力によって湾曲可能なように形成されている。
【００５１】
本実施の形態における前面パネルは、ＡＢＳ（アクリロニトリル・ブタジエン・スチレン）樹脂で形成されている。また、本実施の形態における前面パネルは、押圧部の周りの厚さが２ｍｍ以上３ｍｍ以下になるように形成されている。
【００５２】
図４および図６を参照して、突起部５１は、前面パネル２を閉じるときに、機器本体に形成された保持部５３と対向するように形成されている。また、係止爪５２は、機器本体に形成された引掛け部５４に挿入することができるように配置されている。
【００５３】
図３および図８を参照して、前面パネル２を機器本体に取付けるときには、前面パネル２を傾斜させた状態で、前面パネル２の下部に配置された係止爪５２を、機器本体に配置された引掛け部５４に挿入する。係止爪５２を引掛け部５４に挿入して、前面パネル２を起こすことにより、係止爪５２を引掛け部５４に引っ掛ける。
【００５４】
図９に、係止爪を引掛け部に引っ掛けたときの概略断面図を示す。図９は、前面パネルを閉じたときの拡大断面図である。引掛け部５４の内部に係止爪５２が挿入され、係止爪５２の下側に延びる部分が枠体９の表面に接触することにより係止する。
【００５５】
図３を参照して、前面パネル２の上部を機器本体に近づけるように前面パネル２を引き起こすと、前面パネル２に形成された突起部が、機器本体に形成された保持部５３に挟持される。押圧部４２を指で押すことにより、突起部が保持部５３に挟持される。
【００５６】
図１０に、前面パネルの突起部が機器本体の保持部に保持されているときの拡大概略断面図を示す。保持部５３の２つの爪が突起部５１の先端の膨らんだ部分を挟み込んでいる。前面パネル２の上部の両端部に形成された延在部４４は、機器本体の接触部４３と接触している。
【００５７】
このように、前面パネルは、下側に形成された２つの係止爪と、上側に形成された２つの突起部とが機器本体に係合することによって固定される。
【００５８】
図１１に、前面パネルを固定および解除するときの押圧部の部分の概略断面図を示す。矢印７０に示す向きに押圧部４２を押すことにより、突起部５１が保持部５３に挿入する向きに進入する。前面パネルを閉じるときには、保持部５３を突起部５１で押し込むことによって突起部５１が保持部５３に固定される。前面パネルを開けるときには、保持部５３を突起部５１で再度押し込むことによって、保持部５３が元の位置に戻ると共に突起部５１が保持部５３から解除される。
【００５９】
前面パネル２は、延在部４４が接触部４３に面接触している。保持部５３の周りにおいては、機器本体と前面パネル２とが離れているため、前面パネル２は押圧部４２の押圧した部分を中心に湾曲する。前面パネル２が湾曲することにより、突起部５１を保持部５３に向かって移動させることができる。すなわち、前面パネルは、押圧部４２を押したときに押した部分を中心に湾曲可能に形成され、さらに、弾性で元に戻るように形成されている。
【００６０】
本発明においては、押圧部から離れた位置に押圧部が形成され、前面パネルの弾性を利用して開閉を行なう。押圧部から離れた領域を押したときには、その押した領域を中心に前面パネルが撓むため、突起部５１は保持部５３に挿入される向きにほとんど移動しない。このため、突起部５１が保持部５３から外れることを防止できる。すなわち、実質的に押圧部を押したときのみ前面パネルが開閉することができる。
【００６１】
前面パネルに対して大きな面積で接触した場合には、機器本体の接触部と前面パネルとが接触するように形成されているため、押圧部の部分が局所的に押されることはなく、突起部が保持部に向かって移動することを実質的に防止できる。たとえば、人などが大きな面積でぶつかったときには、前面パネル全体が撓んで保持部の近傍が大きく湾曲することを防止できる。この結果、突起部が保持部から解除されて前面パネルが開くことを防止できる。
【００６２】
本実施の形態においては、突起部および突起部を保持するための保持部は、空気調和機の上部に形成され、係止爪および係止爪を引っ掛けるための引掛け部は、空気調和機の下部に配置されている。この構成を採用することにより、下部に配置された係止爪を回動中心として、前面パネルの回動を行ないながら開閉を行なうことができる。
【００６３】
本実施の形態における前面パネルは、突起部が前面パネルの一方の側に配置され、一方の側と反対側に係止爪が配置されている。機器本体は、係止爪を引っ掛けるように形成された引掛け部を含む。この構成を採用することにより、上記のように前面パネルを容易に開閉することができる。さらに、前面パネルの開角度を大きくすることにより前面パネルを機器本体から取外すことができる。
【００６４】
前面パネルを固定する手段としてはこの形態に限られず、たとえば、係止爪および引掛け部を、突起部および保持部に置き換えても構わない。すなわち、４つの点全てを突起部および保持部の組み合わせによって、前面パネルを機器本体に固定しても構わない。この場合にも、機器本体の保持部の周りに接触部を配置することが好ましい。
【００６５】
本実施の形態における前面パネルは、ＡＢＳ樹脂で形成されているが、この形態に限られず、たとえば、ＢＰ（ポロプロピレン）樹脂またはＰＳ（ポリスチレン）樹脂で形成されていても構わない。これらのいずれかの樹脂を採用することにより、汎用的な材料で開閉パネルを形成することができる。
【００６６】
開閉パネルは、上記の３つの樹脂のうちいずれかの樹脂を主材料として形成した場合に、厚さが２ｍｍ未満になると押圧部から離れた部分を押すことによっても前面パネルが開いてしまう。また、厚さが３ｍｍよりも大きくなると、押圧部を押すことによっても押圧部を中心に湾曲しにくくなって前面パネルの開閉を行ないにくくなる。このため、開閉パネルは、上記の樹脂を主材料とした場合には、厚さが２ｍｍ以上３ｍｍ以下になることが好ましい。
【００６７】
または、開閉パネルは、押圧部の周りにおいて突起部の固定および解除が行なえる程度に湾曲可能で、さらに、押圧部から離れた部分を押しても前面パネルが開かない程度に強度を有していれば、任意の材料および任意の厚さを採用することができる。
【００６８】
本実施の形態において、接触部は前面パネルと面接触するように形成されているが、この形態に限られず、保持部から離れて前面パネルと接触するように形成され、押圧部を中心に前面パネルが湾曲するように前面パネルを支持していればよい。たとえば、接触部は、押圧部を囲む形態で前面パネルと点接触するように形成されていても構わない。
【００６９】
本実施の形態において、押圧部は、マークが描写されているがこの形態に限られず、押圧部と識別できるように形成されていれば構わない。たとえば、押圧部として凹んだ部分が形成されていても構わない。
【００７０】
上記の実施の形態に係るそれぞれの図面において、同一または相当する部分には、同一の符号を付している。
【００７１】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００７２】
【図１】実施の形態における空気調和機の斜視図である。
【図２】実施の形態における空気調和機の破断図である。
【図３】空気調和機の前面パネルを開いたときの斜視図である。
【図４】空気調和機の前面パネルを取外したときの正面図である。
【図５】実施の形態における機器本体の保持部の部分の概略斜視図である。
【図６】実施の形態における前面パネルを裏側から見たときの図である。
【図７】実施の形態における前面パネルの突起部の拡大斜視図である。
【図８】実施の形態における前面パネルの係止爪の拡大斜視図である。
【図９】機器本体の引掛け部に、前面パネルの係止爪が引っ掛かったときの拡大断面図である。
【図１０】実施の形態における前面パネルを閉じたときの、突起部と保持部との部分の拡大断面図である。
【図１１】前面パネルを開閉するために、押圧部を押したときの突起部と保持部との部分の拡大断面図である。
【符号の説明】
【００７３】
１  外カバー、２  前面パネル、３  上面パネル、４  側面パネル、５  背面パネル、６ａ，６ｂ  ルーバ、７  ダンパ、８  底面パネル、９，１０  枠体、１１  凝縮器、１２  蒸発器、１３  凝縮器ファン、１４  蒸発器ファン、１５  凝縮器ファンモータ、１８  ドレンタンク、１９  結露皿、２２  イオン発生器、２５  第１のケーシング、２６  第２のケーシング、３１  吹出口、３２  凝縮器吸気部、３３  蒸発器吸気部、３４  排気部、３５  開口部、４１  操作部、４２  押圧部、４３  接触部、４４  延在部、５１  突起部、５２  係止爪、５３  保持部、５４  引掛け部、６１〜６６，６９〜７１  矢印。
【図１】
2006242505.tif 000003
【図２】
2006242505.tif 000004
【図３】
2006242505.tif 000005
【図４】
2006242505.tif 000006
【図５】
2006242505.tif 000007
【図６】
2006242505.tif 000008
【図７】
2006242505.tif 000009
【図８】
2006242505.tif 000010
【図９】
2006242505.tif 000011
【図１０】
2006242505.tif 000012
【図１１】
2006242505.tif 000013